(57)【特許請求の範囲】
【請求項１】
透明なケース内部の高所を移動し、かつ巻上げおよび巻下し可能に垂下させた釣り糸の下端に棒状部材の中央部を揺動可能に取り付けたクレーンと、先細りした上半部の頂部に穴を形成し、かつ内部に景品を収容した上下二つ割れ構造の中空のカプセルとを備え、
前記棒状部材の両端部が前記カプセルの上半部の内側に引っ掛かるようにクレーンを操作してカプセルを釣り上げることを特徴とする釣り上げゲーム装置。
【請求項２】
下方に向って開口する載頭円錐状の笠状部材と、前記笠状部材の中心部に同芯に配置され、かつ下端部を斜めにカットして斜面部を形成した管状のストッパ部材とを備え、
前記ストッパ部材の中心部を釣り糸が貫通するように笠状部材をクレーンの下端に取り付けてある請求項１に記載の釣り上げゲーム装置。
【請求項３】
中空構造の釣り竿と、前記釣り竿の把手部の根元を支点として釣り竿全体を水平方向に旋回自在に、かつ鉛直方向に俯仰自在に支持する軸受台と、この軸受台の下方に設けたリールから繰り出されて把手部の根元の部分から釣り竿の内部に入り、更に釣り竿の内部を貫通してその先端から垂下する釣り糸と、この釣り糸の下端に中央部を揺動自在に取り付けた棒状部材と、先細りした上半部の頂部に穴を形成し、かつ内部に景品を収容した上下二つ割れ構造の中空のカプセルとを備え、
前記棒状部材の両端部が前記カプセルの上半部の内側に引っ掛かるように釣り竿を操作してカプセルを釣り上げることを特徴とする釣り上げゲーム装置。
【請求項４】
前記リールを駆動する電動機と、ゲーム開始後、一定時間が経過すると、前記電動機に電力を供給する限時タイマーとをさらに備え、前記釣り糸は、ゲーム開始後、一定時間が経過すると巻上げられることを特徴とする請求項３に記載の釣り上げゲーム装置。
【発明の詳細な説明】
【０００１】
【発明の属する技術分野】
この発明は、クレーン又は釣り竿を利用して景品を釣り上げるようにした釣り上げゲーム装置に関するものである。
【０００２】
【従来の技術】
クレーンを利用した釣り上げゲーム装置として図１３に示すものがある。
このゲーム装置は、グラブ１を昇降自在に吊り下げたクレーン２を透明なケース３内の高所に設けたレール４上に載置して、左右および前後方向に移動できるようにしたもので、ゲームを行う際は、狙った景品５の真上にグラブ１がくるようにクレーン２を移動させたのちグラブ１を降下させ、左右のアーム６，６を締付動作させてアーム先端の爪７，７で景品５を掴み、その後、グラブ１を巻き上げてシュート８の上方に景品５を移動し、ここで爪７，７を開いて景品５をシュート８内に落下させ、景品取出口９から景品５を取り出すようにしている。
【０００３】
【発明が解決しようとする課題】
しかし、従来のゲーム装置には、次に述べるような問題点があった。
（１）グラブのアーム６，６の駆動機構が複雑なため、装置の制作費が高価である。
（２）比較的大重量の景品を掴もうとすると、爪７がすべって景品５の釣り上げが困難になるため、景品はもっぱら小型・軽量のものに限定される。
【０００４】
この発明は前記の問題点に鑑み、従来のものに比べて制作費が安価で、比較的大重量の景品を釣り上げ得る釣り上げゲーム装置を提供することを課題とする。
【０００５】
【課題を解決するための手段】
前記の課題を解決するため、この発明では次の２つの手段を構成した。
第１の手段は景品の釣り上げにクレーンを使用するもので、クレーンから垂下する釣り糸の下端に棒状部材の中央部を揺動自在に取り付け、この棒状部材の両端部をカプセルの上半部の内側に引っ掛けてカプセルを釣り上げ、カプセルの中に収容した景品を取り出すようにしている。
【０００６】
カプセルは上下二つ割れ構造で、上半部は上方に向って先細りしており、その頂部には穴が設けられていて、傾斜状態にある棒状部材がこの穴を通ってカプセルの中に進入できるようになっている。
【０００７】
更に、クレーンについて詳述すると、このクレーンの走行装置、巻上機等は従来と同様であるが、カプセル内に受け入れた棒状部材をカプセルから離脱させる装置を設けた点が新規である。
この離脱装置は、下方に向って開口する載頭円錐状の笠状部材と、下端部を斜めにカットして斜面部を形成した管状のストッパ部材等によって構成されていて、このストッパ部材の中心部を釣り糸が貫通している。
【０００８】
この離脱装置は次のように作動する。すなわち、棒状部材がストッパ部材の下端に当接するまで釣り糸を巻き上げ、更に釣り糸を巻き上げると、棒状部材がストッパ部材の下端を支点として鉛直面内で回動し、棒状部材の一端がカプセルの穴を通ってカプセルの外に脱出する。
この際、笠状部材は、その下端がカプセルの上半部を押圧してカプセルの動きを拘束しているので、棒状部材は容易にカプセルから離脱する。
【０００９】
この発明の第２の手段は景品の釣り上げに釣り竿装置を使用するもので、釣り竿から垂下する釣り糸の下端に棒状部材の中央部を揺動自在に取り付け、この棒状部材の両端部をカプセルの上半部の内側に引っ掛けてカプセルを釣り上げ、カプセルの中に収容した景品を取り出すようにしている。
カプセルは上下二つ割れ構造で、上半部は上方に向って先細りしており、その頂部には穴が設けられていて傾斜状態にある棒状部材がこの穴を通ってカプセルの中に進入できるようになっている。
【００１０】
更に、釣り竿装置について詳述すると、この装置は中空構造の釣り竿と、この釣り竿の把手部の根元を支点として釣り竿を水平方向に旋回自在に、かつ鉛直方向に俯仰自在に支持する軸受台と、この軸受台の下方に設けたリールから繰り出されて把手部の根元の部分から釣り竿の内部に入り、更に釣り竿の内部を貫通してその先端から垂下する釣り糸と、この釣り糸の下端に中央部を揺動自在に取り付けた棒状部材等によって構成されている。なお、本発明に係るゲーム装置は、前記リールを駆動する電動機と、ゲーム開始後、一定時間が経過すると、電動機に電力を供給する限時タイマーとをさらに備え、釣り糸は、ゲーム開始後、一定時間が経過すると巻上げられて、ゲームを終了させるようになっている。
【００１１】
【発明の実施の形態】
以下、この発明の実施の形態を図面を参照して説明する。
図１ないし図９は、この発明の第１の手段を示すもので、この手段の主要部は、釣り糸１１を巻上げおよび巻下し可能に垂下したクレーン１２と、前記釣り糸１１の下端に、中央部を揺動自在に取り付けた棒状部材１３と、景品１４を収容した中空のカプセル１５等によって構成されており、前記クレーン１２は透明なケース１６内の高所に設けた横行レール１７上に載置されており、この横行レール１７の両端部は、走行レール（図示せず）上を紙面に直交する方向に移動するようになっている。
なお、図中の１８は横行用の車輪、１９は巻上機である。
【００１２】
クレーン１２の下面には、図２および図３に示すように、下方に向って末拡がりに開口した載頭円錐状の笠状部材２０が取り付けられており、更に、この笠状部材２０の天板２２の中心部には、下端部を斜めにカットして斜面部２３を形成した管状のストッパ部材２４が鉛直方向に突設されていて、このストッパ部材２４の中心部を釣り糸１１が貫通している。
【００１３】
中空のカプセル１５は合成樹脂でつくられていて、図４に示すように先細りした頂部に円形の穴２５を設けた上半部２６と、下すぼまりの下半部２７からなる二つ割れ構造としてつくられており、上半部２６と下半部２７を手で掴んで引っ張ると容易に分離してカプセルの内部に収納した景品（図示せず）を外部に取り出せるようになっている。
【００１４】
穴２５の直径は棒状部材１３の全長より若干小さく設定されていて、棒状部材１３を傾斜させると、棒状部材１３が穴２５を通ってカプセル１５の中に進入することができ、また棒状部材１３が水平状態になると、棒状部材の両端部がカプセルの上半部２６の内側に引っ掛かってカプセル１５を釣り下げるようになっている。
【００１５】
次に、この釣り上げゲーム装置の取扱要領および作動について説明する。
カプセルを釣り上げるには、図５に示すように狙ったカプセル１５の真上から若干、ずれた位置に釣り糸の下端がくるようにクレーン１２を移動して釣り糸１１を巻き下す。
この操作によって、棒状部材１３は図６に示すように傾斜した状態でカプセル１５の中に進入する。
【００１６】
ここで、釣り糸１１を僅かに巻き上げると、図７に示すように棒状部材１３は水平状態になって棒状部材１３の両端がカプセル１５の上半部２６内側に引っ掛かった状態になり、カプセルを釣り上げる準備が完了する。
【００１７】
次にカプセルを釣り上げ、図１の矢印ｃ、ｃに示すようにシュート２８の上方に移動させる。移動中、カプセル１５が傾斜すると、棒状部材１３がカプセルから離脱するおそれがあるが、図８に示すように棒状部材１３がストッパ部材２４の下端に近接するまで、釣り糸を巻き上げておくと、笠状部材２０の下端がカプセル１５の上半部２６に近接して、カプセル１５の動きを拘束し、カプセルの落下を防止する。
【００１８】
かくしてカプセル１５がシュート２８の上方に到達すると、ここで釣り糸１１を更に巻上げる。
この操作によって、棒状部材１３は図９に示すようにストッパ部材２４の下端を支点として鉛直向内で回動し、ストッパ部材２４の斜面部２３に当接して傾斜状態になる。
【００１９】
この際、カプセルの上半部２６が笠状部材２０の下面に当接して、カプセル１５の動きを拘束しているので棒状部材１３はカプセル１５から離脱し、カプセル１５は自然落下してシュート２８に捕捉され、取出口２９に導かれる。そこで遊技者は、カプセル１５を上下方向に二分して景品１４を外部に取り出す。
【００２０】
以上に述べたように、この装置によると、図１４に示したグラブを使用しないので、ゲーム装置の制作費が安価で済み、また比較的大重量の景品を釣り上げることができる。
また棒状部材１３の長さを適宜変更して棒状部材とカプセルとの引掛かりの程度を変化させ、また棒状部材１３の両端部の形状を適宜変更してカプセルと棒状部材との摩擦抵抗を変化させると、ゲームの難易度を容易に調整することができる。
【００２１】
次に、この発明の第２の手段を図面を参照して説明する。図１０ないし図１２は第２の手段の実施の形態を示すもので、この手段の主要部は、鋼、黄銅、不銹鋼等の金属製材料でつくった中空構造の釣り竿３１と、この釣り竿の把手部３２の根元３３を支点として釣り竿全体を水平方向に旋回自在に、かつ鉛直方向に俯仰自在に支持する軸受台３４と、リール３５から繰り出されて把手部の根元３３から釣り竿３１の内部に入り、更に釣り竿３１の内部を貫通してその先端から垂下する釣り糸１１と、この釣り糸１１の下端に、中央部を揺動自在に取り付けた棒状部材１３と、内部に景品１４を収容した上下二つ割れ構造の中空のカプセル１５等によって構成されており、前記リール３５は軸受台３４の下方に設けた中空の基台４２の内部に配置されている。
【００２２】
軸受台３４はアルミ合金製で、図１１に示すように、釣り竿３１に固着した左右のピン３６，３６を水平な軸線ａの周りに回転自在に支承する頭部３７と、この頭部３７の下部に一体に取り付けた中空の支持部３８によって構成されている。
【００２３】
支持部３８の下面は平坦な水平面を形成していて、その中心部、すなわち前記左右のピン３６，３６の中間位置の真下に相当する部分にピン３９が鉛直方向に突設されている。
更に、支持部３８は、基台４２の上面に埋め込んだ軸受用座金４０の上部に載置されていて前記ピン３９が軸受用座金４０の中心部を貫通し、鉛直な軸線ｂの周りに回転自在に支承されている。
【００２４】
把手部の根元３３には、釣り竿内の釣り糸１１をリール３５に導く滑車４３が水平な支持軸４４に回転自在に支承されていて、この支持軸４４は左右のピン３６，３６の内端部に固定されている。
【００２５】
中空のカプセル１５は合成樹脂でつくられていて、図４に示すように先細りした頂部に円形の穴２５を設けた上半部２６と、下すぼまりの下半部２７とからなる二つ割れ構造としてつくられており、上半部２６と下半部２７を手で掴んで引っ張ると容易に分離してカプセルの内部に収納した景品（図示せず）を外部に取り出せるようになっている。
【００２６】
穴２５の直径は棒状部材１３の全長より若干小さく設定されていて、棒状部材１３を傾斜させると、図６に示すように棒状部材１３が穴２５を通ってカプセル１５の中に進入することができ、また棒状部材１３が水平状態になると、図７に示すように棒状部材の両端部がカプセルの上半部２６の内側に引っ掛かってカプセル１５を釣り下げるようになっている。
更に、カプセルの下半部２７は図１２に示すように、紐状物４５を介して台４６の上面に固定されている。
【００２７】
次に、このゲーム装置の取扱要領および作動について説明する。
カプセル１５を釣り上げるには、釣り竿３１の把手部３２を手で握って釣り竿を操作し、狙ったカプセル１５の真上から若干、ずれた位置に釣り糸の下端がくるように釣り竿３１を操作して釣り糸を下げる（図５参照）。
この操作によって、棒状部材１３は図６に示すように傾斜した状態でカプセル１５の中に進入する。
ここで、釣り糸１１を僅かに持ち上げると、図７に示すように棒状部材１３は水平状態になって棒状部材１３の両端がカプセル１５の上半部２６の内側に引っ掛った状態になり、カプセルを釣り上げる準備が完了する。
【００２８】
次に、図１２に仮想線で示すように釣り竿３１の先端を持ち上げながら鉛直な軸線ｂの周りに旋回させてカプセル１５をシュート２８ａ上方の高所に移動させる。
そして、紐状物４５が延び切ると、カプセル１５が上下方向に二分して景品１４がカプセル１５の外に飛び出し、シュート２８ａ内に落下する。
【００２９】
なお、ここには図示していないが、リール３５は給電回路に限時タイマーを設けた電動機（図示せず）によって回転駆動されるようになっており、ゲーム開始後一定時間が経過すると限時タイマーが作動してリール３５が釣り糸１１を巻き取り、ゲームを終了させるようになっている。
【００３０】
更に、ここには図示していないが、基台を支持する台の上面の部分に蟻溝加工を施し、基台を、この蟻溝に沿って前後方向に移動できるようにしてもよい。
【００３１】
【発明の効果】
以上に示すように、この発明は次の優れた効果を発揮する。
（１）従来の装置のようにグラブを使用しないのでゲーム装置の制作費が安価で済む。
（２）前記と同様の理由により、比較的、大重量の景品を釣り上げることができる。
（３）棒状部材の長さおよび両端部の形状を適宜、変更することによって、ゲームの難易度を容易に調整することができる。
【図面の簡単な説明】
【図１】第１の手段の発明の実施の形態を示す切断正面図である。
【図２】図１に示す笠状部材およびストッパ部材の切断正面図である。
【図３】図２におけるＩＩＩ−ＩＩＩ方向からの一部切断矢視図である。
【図４】図１に示すカプセルの切断立面図である。
【図５】カプセルの釣り上げ要領を説明する斜視図である。
【図６】同じくカプセルの釣り上げ要領を説明する斜視図である。
【図７】同じくカプセルの釣り上げ要領を説明する斜視図である。
【図８】移送中のカプセルの釣り上げ状態を説明する正面図である。
【図９】棒状部材をカプセルから離脱させる要領を説明する正面図である。
【図１０】第２の手段の発明の実施の形態を示す切断側面図である。
【図１１】図１０に示す軸受台の切断正面図である。
【図１２】ゲーム装置の取扱要領を説明する切断背面図である。
【図１３】従来のゲーム装置の切断正面図である。
【図１４】図１３に示すグラブの斜視図である。
【符号の説明】
１１      釣り糸
１２      クレーン
１３      棒状部材
１４      景品
１５      カプセル
１６      ケース
２０      笠状部材
２３      斜面部
２４      ストッパ部材
２５      穴
２６      上半部
３１      釣り竿
３２      把手部
３３      根元
３４      軸受台
３５      リール
【図１】
0003732892.tif 000002
【図２】
0003732892.tif 000003
【図３】
0003732892.tif 000004
【図４】
0003732892.tif 000005
【図５】
0003732892.tif 000006
【図６】
0003732892.tif 000007
【図７】
0003732892.tif 000008
【図８】
0003732892.tif 000009
【図９】
0003732892.tif 000010
【図１０】
0003732892.tif 000011
【図１１】
0003732892.tif 000012
【図１２】
0003732892.tif 000013
【図１３】
0003732892.tif 000014
【図１４】
0003732892.tif 000015